(57)【要約】【課題】  ビデオカメラのタイトル入力等、従来操作が煩雑で、操作性が良くなかった。そこで携帯端末の文字入力操作性が利用できるようなビデオカメラの構成を提供する。【解決手段】  タイトルやファイル名やフォルダ名を入力する為の文字入力待機状態に設定する設定手段と、文字入力待機状態に設定した時に外部機器の文字入力アプリケーションを起動するためのトリガ信号を発行するトリガ手段と、外部機器から伝送されてきた文字データを入力待機状態のタイトルやファイル名やフォルダ名の文字データとして格納する文字データ格納手段を設けたことを特徴とする撮影装置。【選択図】        図１
2006191444.tif 000002
【特許請求の範囲】
【請求項１】
タイトルやファイル名やフォルダ名を入力する為の文字入力待機状態に設定する設定手段と、文字入力待機状態に設定した時に外部機器の文字入力アプリケーションを起動するためのトリガ信号を発行するトリガ手段と、外部機器から伝送されてきた文字データを入力待機状態のタイトルやファイル名やフォルダ名の文字データとして格納する文字データ格納手段を設けたことを特徴とする撮影装置。
【請求項２】
タイトルやファイル名やフォルダ名を入力する為の文字入力待機状態に設定する設定手段と、文字入力待機状態に設定した時に外部機器に文字入力アプリケーションプログラムを伝送するプログラム伝送手段と、外部機器から伝送されてきた文字データを入力待機状態のタイトルやファイル名やフォルダ名の文字データとして格納する文字データ格納手段を設けたことを特徴とする撮影装置。
【発明の詳細な説明】
【技術分野】
【０００１】
本発明はカメラやビデオカメラ、特に撮影された映像のタイトルや撮影された映像ファイルのファイル名や撮影された映像データを格納するフォルダ名等をユーザーが入力出来る撮影装置に関する。
【背景技術】
【０００２】
従来より撮影された映像のタイトルや撮影された映像ファイルのファイル名や撮影された映像データを格納するフォルダ名等をユーザーが入力出来るビデオカメラがあった。図３はビデオカメラの一例で例えば旅行で撮影する場合に撮影開始の数秒間だけ「○○ＴＯＵＲ」というタイトル（ａ０１）を映像にオーバーラップする様に記録する。この様にする事で後で再生して見る時に何を撮影したのかすぐに分かるし、映像作品としての見栄えも良くなる。さてこのタイトルを入力する操作を説明する。
【０００３】
図３のビデオカメラにはメニューボタン３０２とメニューダイヤル３０３が設けてある。ユーザーはまずメニューボタン３０２を押す。すると液晶パネル３０４に図４の様なメニューが表示される。メニューにはこの例では「ＶＴＲ設定」、「カメラ設定」、「日付設定」、「タイトル入力」、と並んでいる。ユーザーが設定したいのはタイトル入力なので四角の囲み（４０１）を図３のメニューダイヤル３０３を回転操作（矢印３０５）して下方にもって行き、囲み（４０２）の様に「タイトル入力」に合わせる。
【０００４】
次にユーザーはメニューダイヤル３０３を矢印３０６の方向に押す。すると今度は図５の様な画面が液晶に現れる。文字選択フィールド５０２の部分は例えばこの例ではアルファベットがならんでいる。ユーザーは図３のメニューダイヤル３０３を操作して四角の囲み５０３を移動させ文字を選択し、メニューダイヤル３０３を矢印３０６の方向に押す事で選択を決定する。選択決定された文字はタイトルプレビューフィールド５０１に順次表示される。タイトル入力を終了したい場合はダイヤルを操作して「ＯＫ」５０４のところに四角枠を持っていき、メニューダイヤル３０３を矢印３０６の方向に押すと入力した文字が、３０１の様に撮影画面にオーバーラップして表示される。またこのオーバーラップした映像を記録する事も出来る。
【特許文献１】特開平８−３１５１０６号公報
【発明の開示】
【発明が解決しようとする課題】
【０００５】
しかしながら従来の方法では、選択枠をダイヤルで移動させる文字入力であるため操作性の点で、改善の余地があった。
【０００６】
本発明は、上述の問題点に着目してなされたものであって、携帯端末の文字入力操作性を利用できるような撮影装置を提供することを目的とする。
【課題を解決するための手段】
【０００７】
上記目的を達成するため、本発明の撮影装置は、タイトルやファイル名やフォルダ名を入力する為の文字入力待機状態に設定する設定手段と、文字入力待機状態に設定した時に外部機器の文字入力アプリケーションを起動するためのトリガ信号を発行するトリガ手段と、外部機器から伝送されてきた文字データを入力待機状態のタイトルやファイル名やフォルダ名の文字データとして格納する文字データ格納手段を設ける。
【０００８】
もしくはタイトルやファイル名やフォルダ名を入力する為の文字入力待機状態に設定する設定手段と、文字入力待機状態に設定した時に外部機器に文字入力アプリケーションプログラムを伝送するプログラム伝送手段と、外部機器から伝送されてきた文字データを入力待機状態のタイトルやファイル名やフォルダ名の文字データとして格納する文字データ格納手段を設ける。
【発明の効果】
【０００９】
以上説明したように本発明によれば、タイトルやファイル名やフォルダ名を入力する為の文字入力待機状態に設定する設定手段と、文字入力待機状態に設定した時に外部機器の文字入力アプリケーションを起動するためのトリガ信号を発行するトリガ手段と、外部機器から伝送されてきた文字データを入力待機状態のタイトルやファイル名やフォルダ名の文字データとして格納する文字データ格納手段を設ける、もしくはタイトルやファイル名やフォルダ名を入力する為の文字入力待機状態に設定する設定手段と、文字入力待機状態に設定した時に外部機器に文字入力アプリケーションプログラムを伝送するプログラム伝送手段と、外部機器から伝送されてきた文字データを入力待機状態のタイトルやファイル名やフォルダ名の文字データとして格納する文字データ格納手段を設ける事により操作性の良い外部機器の文字入力機能を利用してタイトル等の文字入力を行う事が出来る。
【発明を実施するための最良の形態】
【００１０】
以下に本発明を実施するための最良の形態を、実施例に基づいて説明する。
【実施例１】
【００１１】
図１に本案を実施したビデオカメラの一例の構成を示す。制御部１０５で制御される操作部１０４でユーザーがタイトル入力の設定を行うと従来例で述べたのと同様の図４の操作を経て、図２の様な文字入力待機画面が表示部１０６に表示される。本案の場合には文字選択は行わず、例えば「端末から文字入力ができます」というメッセージの表示が行われる。同時に制御部１０５は無線インターフェース部１０７を制御して外部機器に予め実装してある文字入力アプリケーション起動のトリガデータを発信する。外部機器の文字入力アプリケーションで入力された文字データは無線インターフェース部１０７から入力され、制御部１０５によって画像ミックス制御部１０２に送られる。画像ミックス制御部１０２は文字データをカメラ部１０１で撮影された映像とミックスして映像記録部１０３で記録する。
【００１２】
外部機器での文字入力手段は本案では限定するものではないが、一例として携帯電話などで採用されている様な数字キーとの兼用でかな入力や漢字変換が行えるもの等がある。文字入力アプリケーションも本案で限定するものではないが、一例として携帯電話等で採用されているＪＡＶＡ（登録商標）言語を用いたもの等で構成出来る。
【００１３】
このように構成する事で、本体の文字入力手段の操作性が悪い場合でも、より操作性の良い外部機器の文字入力機能を利用してタイトル等の文字入力を行う事が出来る。
【実施例２】
【００１４】
実施例１では外部機器に予め実装されている文字入力アプリケーションを起動するためのトリガデータを発信する構成であったが、外部機器にアプリケーションが実装されていない場合もある。この場合文字入力待機状態に設定すると同時に外部機器に対し文字入力アプリケーションのプログラムそのものを伝送して実行させる構成でも良い。図１のプログラム格納メモリ１０８にＪＡＶＡ（登録商標）言語で書かれたプログラムデータが格納されている。制御部１０５は文字入力待機状態に設定すると同時に外部機器に対しこのプログラムデータを無線インターフェース１０７を通して発信する。さらに続いて制御部１０５は伝送したアプリケーションを動作させる為の起動トリガデータを発信する。
【００１５】
このように構成する事で、外部機器に予め文字入力アプリケーションが実装されていない場合にも、より操作性の良い外部機器の文字入力機能を利用してタイトル等の文字入力を行う事が出来る。
【図面の簡単な説明】
【００１６】
【図１】本発明を実施したビデオカメラの一例の構成図
【図２】本発明を実施したビデオカメラの表示画面を示す図
【図３】ビデオカメラの例を示す図
【図４】メニュー画面を示す図
【図５】文字入力画面を示す図
【符号の説明】
【００１７】
１０１  カメラ部
１０２  画像ミックス制御部
１０３  映像記録部
１０４  操作部
１０５  制御部
１０６  表示部
１０７  無線インターフェース部
１０８  プログラム格納メモリ
【図１】
2006191444.tif 000003
【図２】
2006191444.tif 000004
【図３】
2006191444.tif 000005
【図４】
2006191444.tif 000006
【図５】
2006191444.tif 000007